(57)【要約】      （修正有）【課題】昇降機構の適正な配設によって基台の低背化が図れ、展示ケースに占める展示空間の割合を大きくすることが可能な昇降開閉式展示ケースを提供する。【解決手段】展示床22を有する基台ユニットと、展示空間を包囲する透光性材料からなる側板51および側板51の上端開口を覆う天板52を有し、基台ユニットに対し離隔可能に構成されるケース体50と、ケース体50を基台ユニットに合体する降下位置P1および基台ユニットから離隔する上昇位置P2の間で昇降移動させるための少なくとも一の昇降機構60とを備え、昇降機構60がケース体50を昇降移動させるための可動部と、可動部を包囲するガイド部62とを有し、ガイド部62がケース体50の内側でかつ基台ユニットと、ケース体50の側板51および天板52の少なくとも一方の板とに固定連結され、ガイド部62および可動部がケース体50の降下位置P1にてケース体50内に格納される。【選択図】図４
2015229047.tif 000002
【特許請求の範囲】
【請求項１】
床面に設置され、上面部の上に展示品を陳列するための展示床を有する基台ユニットと、
前記展示床の上方に形成される展示空間を包囲する透光性材料からなる側板、および該側板の上端開口を覆う天板を有し、前記基台ユニットに対し離隔可能に構成されるケース体と、
該ケース体を、前記基台ユニットに合体する降下位置、および前記基台ユニットから離隔する上昇位置との間で昇降移動させるための少なくとも一の昇降機構と、
を備える昇降開閉式展示ケースにおいて、
前記昇降機構が、前記ケース体を昇降移動させるための可動部と、該可動部を包囲するガイド部とを有し、
該ガイド部が、前記ケース体の内側で、かつ前記基台ユニットと、前記ケース体の側板および天板の少なくとも一方の板とに固定連結され、
前記ガイド部および前記可動部が、ともに前記ケース体の前記降下位置にて、ケース体内に格納されることを特徴とする昇降開閉式展示ケース。
【請求項２】
前記昇降機構が前記ケース体を２か所のみで支持していることを特徴とする請求項１に記載の昇降開閉式展示ケース。
【請求項３】
前記ガイド部が、外径寸法の異なる複数の筒状部材からなるテレスコープ構造を有し、前記ガイド部を構成する前記複数の筒状部材のうち、最も大きな外径寸法を有する最大筒状部材が、前記ケース体の内側に固定連結されるとともに、最も小さな外径寸法を有する最小筒状部材の先端部が、前記基台ユニットに固定連結されることを特徴とする請求項１または２に記載の昇降開閉式展示ケース。
【請求項４】
前記ケース体の上方に照明ユニットを備え、
該照明ユニットへの電力供給は、前記昇降機構を構成する前記ガイド部の内部空間を通じて行なうことを特徴とする請求項１〜３のいずれか１項に記載の昇降開閉式展示ケース。
【請求項５】
前記展示床に開口を設け、前記昇降機構が前記開口を通じて前記基台ユニットに固定連結されることを特徴とする請求項１〜４のいずれか１項に記載の昇降開閉式展示ケース。
【発明の詳細な説明】
【技術分野】
【０００１】
本発明は、例えば美術館や博物館等で使用される昇降開閉式展示ケースに関する。
【背景技術】
【０００２】
美術館や博物館等で使用される従来の昇降開閉式展示ケースとしては、例えば特許文献１に、上面に展示床を有する基台と、前記展示床の上方に形成される展示空間を包囲するようにして前記基台上に昇降可能に設置されその少なくとも一部から内視可能なケース本体と、このケース本体を、展示空間を包囲する基台上の降下位置から展示空間を開放する上昇位置までの間で昇降動作させる昇降機構とを具備してなる展示ケースが記載されている。このような展示ケースは、展示品の搬出入作業やメンテナンス等を行なうため、基台に対しケース本体を昇降移動させて、ケース本体の、基台からの離隔と、基台との合体の双方が可能なように構成されている。
【０００３】
しかしながら、特許文献１に記載された展示ケースは、昇降機構が基台内に設置されるとともに、昇降機構を構成する４本の昇降桿の上端を、ケース本体の底面部分である保持枠に連接させた構成を採用しているため、ケース本体を基台に合体させたときの展示空間の閉鎖状態では、基台内に昇降機構を収容するための格納スペースを形成する必要があり、この格納スペースの形成は、必然的に基台の高さ寸法の増大を招き、それに伴って、展示ケース全体も大型化するという問題があった。加えて、特許文献１に記載された展示ケースは、ケース本体が底面部分に保持枠を有するため、展示床の有効面積が、保持枠内の面積以下に制限されるという問題もあった。
【先行技術文献】
【特許文献】
【０００４】
【特許文献１】特開昭６３−２４０８０７号公報
【発明の概要】
【発明が解決しようとする課題】
【０００５】
本発明の目的は、昇降機構を適正に配設することによって、基台の低背化が図れ、これにより、展示ケースに占める展示空間の割合を大きくすることが可能な昇降開閉式展示ケースを提供することにある。
【課題を解決するための手段】
【０００６】
上記目的を達成するため、本発明の要旨構成は以下の通りである。
（１）床面に設置され、上面部の上に展示品を陳列するための展示床を有する基台ユニットと、前記展示床の上方に形成される展示空間を包囲する透光性材料からなる側板、および該側板の上端開口を覆う天板を有し、前記基台ユニットに対し離隔可能に構成されるケース体と、該ケース体を、前記基台ユニットに合体する降下位置、および前記基台ユニットから離隔する上昇位置との間で昇降移動させるための少なくとも一の昇降機構とを備える昇降開閉式展示ケースにおいて、前記昇降機構が、前記ケース体を昇降移動させるための可動部と、該可動部を包囲するガイド部とを有し、該ガイド部が、前記ケース体の内側で、かつ前記基台ユニットと、前記ケース体の側板および天板の少なくとも一方の板とに固定連結され、前記ガイド部および前記可動部が、ともに前記ケース体の前記降下位置にて、ケース体内に格納されることを特徴とする昇降開閉式展示ケース。
【０００７】
（２）前記昇降機構が前記ケース体を２か所のみで支持していることを特徴とする上記（１）に記載の昇降開閉式展示ケース。
【０００８】
（３）前記ガイド部が、外径寸法の異なる複数の筒状部材からなるテレスコープ構造を有し、前記ガイド部を構成する前記複数の筒状部材のうち、最も大きな外径寸法を有する最大筒状部材が、前記ケース体の内側に固定連結されるとともに、最も小さな外径寸法を有する最小筒状部材の先端部が、前記基台ユニットに固定連結されることを特徴とする上記（１）または（２）に記載の昇降開閉式展示ケース。
【０００９】
（４）前記ケース体の上方に照明ユニットを備え、該照明ユニットへの電力供給は、前記昇降機構を構成する前記ガイド部の内部空間を通じて行なうことを特徴とする上記（１）〜（３）のいずれか１項に記載の昇降開閉式展示ケース。
【００１０】
（５）前記展示床に開口を設け、前記昇降機構が前記開口を通じて前記基台ユニットに固定連結されることを特徴とする上記（１）〜（４）のいずれか１項に記載の昇降開閉式展示ケース。
【発明の効果】
【００１１】
本発明によれば、昇降機構が、ケース体を昇降移動させるための可動部と、可動部を包囲するガイド部とを有し、ガイド部が、ケース体の内側で、かつ基台ユニットと、前記側板および前記天板の少なくとも一方の板とに固定連結され、ガイド部および可動部がともに、ケース体の、基台に合体する降下位置にて、ケース体内に格納されることによって、基台の低背化が図れ、これにより、展示ケースに占める展示空間の割合を大きくすることが可能な昇降開閉式展示ケースを提供できるようになった。
【図面の簡単な説明】
【００１２】
【図１】図１は、本発明に従う代表的な照明付き昇降開閉式展示ケースの要部構成を示す概略斜視図であって、ケース体が降下位置Ｐ１にあるときの状態を示す。
【図２】図２は、図１に示す展示ケースにおいて、ケース体が上昇位置Ｐ２にあるときの状態で示す概略斜視図である。
【図３】図３は、図１に示す状態にある展示ケースを構成する一の昇降機構の内部構造が分かるように切断したときの展示ケースの断面図である。
【図４】図４は、図２に示す状態にある展示ケースを構成する一の昇降機構の内部構造が分かるように切断したときの展示ケースの断面図である。
【図５】図５は、図３に示す状態にある展示ケースにおいて、ケース体に固定連結された昇降機構と基台ユニットとが合体したときの当接部分のシーリング状態を説明するための部分拡大断面図である。
【図６】図６は、本発明の展示ケースを構成する別の昇降機構の内部構造が分かるように切断したときの展示ケースの断面図であって、ケース体が降下位置Ｐ１にあるときの状態を示す。
【図７】図７は、図６に示す展示ケースにおいて、ケース体が上昇位置Ｐ２にあるときの状態で示す断面図である。
【図８】図８は、本発明の展示ケースを構成する他の昇降機構の内部構造が分かるように切断したときの展示ケースの断面図であって、ケース体が降下位置Ｐ１にあるときの状態を示す。
【図９】図９は、図８に示す展示ケースにおいて、ケース体が上昇位置Ｐ２にあるときの状態で示す断面図である。
【図１０】図１０は、図１に示す展示ケースを構成する基台ユニットに設けられた電源装置や調湿剤の配置状態を説明するための図である。
【図１１】図１１は、図１の展示ケースを、昇降機構と照明ユニットの延在方向を含む平面で切断したときの断面図である。
【図１２】図１２（ａ）および（ｂ）は、図１０に示される調湿剤や電源装置を収納するために使用可能な収納ケースを示したものであって、図１２（ａ）が斜視図、図１２（ｂ）が展開図である。
【図１３】図１３は、収納ケースの種々の実施形態を示す斜視図である。
【図１４】図１４は、他の実施形態の展示ケースの概略斜視図である。
【発明を実施するための形態】
【００１３】
次に、本発明の実施形態について図面を参照しながら以下で説明する。
図１及び図２は、本発明に従う代表的な昇降開閉式展示ケース１０の要部構成を示す概略斜視図であって、図１が展示空間Ｓ１を閉鎖したときの展示状態（展示品は図示せず）、図２が、展示空間を開放した展示品の搬出入可能状態を示したものであり、図３および図４は、図１に示す展示ケース１０を構成する一の昇降機構６０の内部構造が分かるように切断したときの展示ケースの断面図であって、図３が、ケース体５０が基台ユニット２０に合体したとき位置（ケース体５０の降下位置（最下位置）Ｐ１）にある場合、図４が、ケース体５０が基台ユニット２０から離隔したときの位置（ケース体５０の上昇位置（最上位置）Ｐ２）にある場合をそれぞれ示したものである。
【００１４】
図１〜図４に示す昇降開閉式展示ケース１０は、基台ユニット２０とケース体５０と昇降機構６０とで主に構成され、例えば美術館や博物館等に設置され、鑑賞者は、展示ケース内１０に配置された展示品（図示せず）を、展示ケース１０の側板５１および天板５２のうち、少なくとも側板５１を通じて視認（鑑賞）することができる。
【００１５】
図示の基台ユニット２０は、床面Ｆに設置され、上面部２１の上に展示品（図示せず）を陳列するための展示床２２を有している。また、図示の基台ユニット２０は、床面Ｆ側に位置し下面部２３を構成する平面視で矩形状の下側四方枠２４と、展示床２２側に位置し上面部２１を構成する平面視で矩形状の上側四方枠２５と、これらの四方枠２４、２５の４つの角部間をそれぞれ垂直方向に互いに連結する４つの垂直連結部２６とで構成するとともに、基台ユニット２０の４つの側面部は開閉可能な外装パネル２７で覆われている。各四方枠２４、２５や垂直連結部２６の材質は、例えば、鋼材やアルミニウム合金材等の高強度材を用いることが好ましい。また、基台ユニット２０は、その内部、図２では下側四方枠２４と上側四方枠２５との間に、電気機器に電力を供給するための電源装置２８、例えば昇降機構６０や、後述する照明ユニット８０のそれぞれに電力を供給するための２台の電源装置２８Ａ、２８Ｂを収納するため電源収納ケース２９や、ケース体５０と基台ユニット２０が合体したときに形成される展示空間Ｓ１内の空調を整えるための手段、例えば湿度を調整するための調湿剤３０を収納するため調湿剤収納ケース３１が固定連結されている（図１０および図１１参照）。また、基台ユニット２０の下面の４つの隅部には、図３に示すように、キャスタ３４と高さ調整用アジャスタ３５が取り付けられており、この構成により、展示ケース１０を、床面Ｆの所定の位置までキャスタ３４で移動させた後、高さ調整用アジャスタ３５を調整することによって設置することができる。なお、電気機器への電力の供給は、基台ユニット２０の内部に電源装置28を設けることなく、コンセントから直接行なうことも可能である。
【００１６】
ケース体５０は、基台ユニット２０との合体時に、展示床２２の上方に形成される展示空間Ｓ１を包囲し、例えば透明なアクリル板や高透過率ガラス板のような透光性材料からなる側板５１と、側板５１の上端開口を覆う天板５２とで主に構成され、基台ユニット２０に対し離隔可能に構成されている。側板５１は、図１〜図４の実施形態では、４枚の平板ガラスを、接着剤等の接合剤や溶着等による接合方法によって、平面視で矩形状に一体的に形成した場合を示しているが、平面視で円形状や他の多角形状など、展示の態様によって種々の形状に形成することができる。なお、天板５２は、鑑賞者が展示ケース１０の上方からも展示物を視認（鑑賞）できるようにする場合には、透光性材料で構成することが好ましいが、側板５１から展示物が視認できる構成でよければ、非透光性材料で構成し
てもよく、必要に応じて材質を変更することができる。
【００１７】
昇降機構６０は、ケース体５０を、基台ユニット２０に対し、合体させるときの降下位置Ｐ１と、離隔したときの上昇位置Ｐ２との間で昇降移動可能にするために設けられたものであり、ケース体５０が降下位置Ｐ１（図１の状態）にある場合には、展示床２２上に陳列した展示物を、鑑賞者が展示ケース１０の外側から展示物を鑑賞することができ、また、ケース体５０が上昇位置Ｐ２（図２の状態）にある場合には、展示床２２上に展示物を搬入して陳列し、あるいは展示床２２上に陳列していた展示物を展示ケース１０から外部に搬出することができる。
【００１８】
また、図示の展示ケースは、展示空間Ｓ１に陳列した展示品を照らすため、ケース体（図１ではケース体の天板５２）に照明ユニット８０を形成した場合が示されている。この照明ユニット８０は、光源として、例えばＬＥＤ、蛍光灯、有機ＥＬ等を用いる場合が挙げられるが、特に、複数のＬＥＤ照明８１を配列して点発光させるように構成するか、あるいはＬＥＤ照明８１から照射された光を導光板に入射し、導光板を通じて面発光させるように構成することが好ましい。なお、導光板の例としては、例えばアクリル樹脂等の材質からなり、上面の全面にわたって微細な凹凸加工を形成するとともに、下面に光を拡散させるための光拡散シートを形成したものが挙げられる。また、天板５２は、その中央位置に照明ユニット８０を配設する場合、２枚のガラス板を、図３に示すように照明ユニットの両側に配置することが好ましいが、１枚のガラス板に開口を設け、この開口に照明ユニットを嵌め込んで一体化してもよい。
【００１９】
そして、本発明の構成上の主な特徴は、昇降機構を適正に配設することにあり、より具体的には、昇降機構が、前記ケース体を昇降移動させるための可動部と、該可動部を包囲するガイド部とを有し、ガイド部が、前記ケース体の内側で、かつ前記基台ユニットと、前記ケース体の側板および天板の少なくとも一方の板とに固定連結され、ガイド部および前記可動部が、ともに前記ケース体の前記降下位置にて、ケース体内に格納されることにあり、この構成を採用することによって、基台の低背化が図れ、これにより、展示ケースに占める展示空間の割合を大きくすることが可能な昇降開閉式展示ケースを提供することができる。
【００２０】
本発明の展示ケースを構成する昇降機構６０は、可動部６１とガイド部６２とで主に構成されている。
【００２１】
可動部６１は、基台ユニット２０の上面部２１に対しケース体５０を上昇位置Ｐ２まで垂直上方に押し上げる機構と、押し上げたケース体５０を支持しながら基台ユニット２０の上面部２１の元の位置（前記下降位置Ｐ１）まで戻す（復元）機構とを有する構成であればよく、特に限定はしない。
【００２２】
ガイド部６２は、可動部６１を包囲するように配設され、ガイド部６２の両端側部分６２ａ、６２ｂが基台ユニット２０とケース体５０とにそれぞれ固定連結されている。また、ガイド部６２は、可動部６１を収容するための内部空間Ｓ２を有している。加えて、ケース体５０に、展示床に陳列した展示品を照らすための照明ユニット８０をさらに設けた照明付き展示ケースの場合には、ガイド部６２の内部空間Ｓ２に、照明ユニット８０への電力供給のための配線用ケーブルもしくはコード６７または接点部材６８がさらに収容されている。また、ガイド部６２は、ケース体５０の昇降動作に追随するため、伸縮自在の構成を有することが必要である。ガイド部６２は、特にケース体５０の上昇時における基台ユニット２０とケース体５０との間に露出して存在する状態で、展示品の搬出入の際に作業者等が接触するなどして外力が不意に作用したとしても、ガイド部６２が塑性変形せず、可動部６１には外力が直接伝達しないように保護できる程度の剛性を有する補強材で
構成されていることが好ましい。かかる構成を有するガイド部６２としては、例えば、鋼材やアルミニウム合金材等の高強度材からなり、外径寸法が異なり、互いに摺動可能な複数の筒状部材、図１〜図４では３つの筒状部材６９ａ、６９ｂ、６９ｃからなり、これらの筒状部材６９ａ、６９ｂ、６９ｃを互いに摺動可能に包接した、いわゆるテレスコープ構造で構成することが好ましい。
【００２３】
本発明は、昇降機構６０を、図１〜図４に示すようにケース体５０の内部に格納されるように配設することを必須の発明特定事項とし、この構成を採用することによって、基台ユニット２０の低背化や展示空間Ｓ１の増大を図ることができるのである。
【００２４】
また、ケース体５０が基台ユニット２０と合体したときの展示空間Ｓ１の気密性を確保するため、ガイド部６２を構成する複数の筒状部材６９ａ、６９ｂ、６９ｃのうち、最も大きな外径寸法を有する最大筒状部材６９ａの先端６９ａ１が、ケース体５０の開口端５０ａまたはその近傍の位置と一致させた状態でケース体５０の内側に固定連結されるとともに、最も小さな外径寸法を有する最小筒状部材６９ｃの先端６９ｃ１が、基台ユニット２０、特に上面部２１に固定連結されることが好ましい。なお、最小筒状部材６９ｃの先端６９ｃ１は、基台ユニット２０の下面部２３に固定連結してもよい。また、図２および図５に示すように、基台ユニット２０上に連結されている最小筒状部材６９ｃの先端部６９ｃ１の外周の全周にわたって、ゴム等の気密パッキン７０を配設すると共に、最大筒状部材６９ａの先端６９ａ1の全周にわたって、押さえ部材７１を取り付ける構成としたこ
とで、ケース体の降下位置Ｐ１にて、合体時の展示空間Ｓ１の気密性をより一層確保することでき、ガイド部６２の内部に収容された可動部６１等で用いたグリース等がモータ６３等で熱されて揮発ガスとなったとしても、ガイド部６２の内部空間Ｓ２から揮発ガスが展示空間Ｓ１に漏れて展示品が劣化することを防止できる。また、基台ユニット２０の、ケース体５０と合体する部分にも、ゴム等の気密パッキン７０を配設すると共に、ケース体５０の開口端５０ａに押さえ部材７１を取り付ける構成とすることで、ケース体５０の外の温度や湿度が急激に変化しても展示空間Ｓ１の温度や湿度はほぼ一定に保つことができ、加えて、ケース体５０の外で有害ガスが発生したとしても展示空間Ｓ１内への侵入は防止することができる。さらに、ケース体５０の開口端５０ａと最大筒状部材６９ａの先端６９ａ1とに設けた押さえ部材７１は、一体として連結されていることが好ましい。
【００２５】
なお、図１および図５に示す展示ケースでは、ガイド部６２とケース体５０との固定連結を、ガイド部６２の下端側部分６２ａである、最大筒状部材６９ａの先端部６９ａ1と
、押さえ部材７１とを溶接することによって行い、押さえ部材７１とケース体５０の間はコーキング材７２等で充填および接着した場合を示したが、ガイド部６２（を構成する最大筒状部材６９ａ）を、ケース体５０の側板５１に直接固定してもよく、また、ガイド部６２の上面を天板の内面に固定してもよい。さらに、可動部６１は、ガイド部６２にボルト締結等による公知の連結手段によって連結するか、あるいは、照明ユニット８０を設ける場合には、照明ユニット８０にボルト締結することもできる。ここで、ガイド部６２における「テレスコープ構造」とは、小さな外径寸法を有する一の筒状部材を、大きな外径寸法を有する他の筒状部材内で、ガイド部の軸線方向に摺動（出入り移動）可能に構成することにより、ガイド部の長さを可変にする構造を意味する。
【００２６】
また、図３および図４に示す可動部６１は、基台ユニット２０に固定されたモータ６３と、モータ６３の上部に設けられたギアボックス６４と、ギアボックス６４の上部に位置し、３段からなるテレスコープ式のスピンドル６５を有する電動式リニアアクチュエータ６６とで構成され、電源装置２８からの電力供給によってモータ６３を作動させ、ギアボックスの６４を正逆回転させることによって、リニアアクチュエータ６６のスピンドル６５に、上下方向に長さの伸縮動作を生じさせ、この伸縮動作に伴う作用力を、ガイド部６２を介してケース体５０に伝達することによって、ケース体５０の昇降を行うことができ
る。なお、本発明では、前記可動部６１を、モータ６３を用いずに手動で動作させることもできる。
【００２７】
さらに、本発明は、昇降機構６０を構成するガイド部６２に、可動部６１の収容容積よりも大きな内容積をもつ内部空間Ｓ２を形成することが好ましい。これによって、内部空間Ｓ２に、基台ユニット２０の内部に設置した電源装置２８から照明ユニット８０への電力供給を行なうための配線用ケーブルまたはコード６７（図３および図４ならびに図６および図７参照）または接点部材６８（図８および図９参照）を配設することができるため、従来の照明付き展示ケースのようにケース体と基台ユニットの間に存在していた通線用パイプの配設を不要とし、装置構成を簡素化すると共に、展示品の搬出入作業の容易化を図ることができる。
【００２８】
図３および図４に示すガイド部６２の内部空間Ｓ２を利用して行なう電力供給（配線）手段としては、昇降機構６０の両端間を伸縮自在形のコードまたはケーブル、例えば市販のカールコード６７を用いて配線する場合を示しているが、この構成だけには限定されず、例えば図６および図７に示すように、両端間を、ケース体の上昇位置Ｐ２にあるときの昇降機構（図７参照）の全長よりも長いコード６７又はケーブルを用いて配線することも可能である。
【００２９】
また、ガイド部６２の内部空間Ｓ２を利用して行なう他の電力供給手段としては、例えば、図８および図９に示すように、前記内部空間Ｓ２内で基台ユニット２０側に固定された棒状または筒状の接点６８を設けるとともに、昇降機構６０の上端側位置に、バネ接点７４を設け、ケース体の降下位置Ｐ１にて、両接点６８、７４同士を接触させて導通する構成が挙げられる。なお、上記の実施形態では、接点としてバネ接点の構成を示したが、ケース体５０の降下位置Ｐ１にて所定の接触圧力を付加することが可能であれば他の接点の構成を用いてもよい。
【００３０】
また、昇降機構６０の他の実施形態としては、図６および図７に示すように、前記可動部に２つのスプロケット７５ａ、７５ｂとチェーン７６とを用いた構成が挙げられる。かかる構成の昇降機構６０は、具体的には、上下に配置された２つのスプロケット７５ａ、７５ｂと、これらのスプロケット７５ａ、７５ｂにリング状に巻き回されたチェーン７６と、下側のスプロケット７５ｂの直上位置の巻き回されたチェーン７６の内側に配設されたモータ７７と、巻き回されたチェーン７６の両側にそれぞれチェーンクランプされ、チェーンの移動に随伴して垂直上下方向に直線移動する２つの棒状の押圧部材７８ａ、７８ｂとで構成され、駆動させたモータ７７の回転を、傘歯車等の回転角度変換機構で回転方向を変換させることで、下側のスプロケット７５ｂを回転させ、これに伴って、チェーン７６が両スプロケット７５ａ、７５ｂ間を回転し、チェーン７６が回転することで２つのチェークランプが上下逆方向に移動し、チェーンクランプに固定された２つの押圧部材７８ａ、７８ｂも随伴して移動することによって、可動部６１の長さを伸縮させることができる。なお、モータ７７は、低回転、高トルクのダイレクトドライブモータを用いることで歯車を介さず直接駆動してもよい。
【００３１】
また、本発明は、装置構成の簡素化と、展示品の搬出入作業の容易化の双方を図る観点から、図１に示すようにケース体５０を２つの昇降機構６０、６０で支持する構成を採用することが好ましいが、ケース体のサイズや展示ケースの形態に応じて昇降機構を３つ以上配設することもできる。加えて、複数の昇降機構６０、６０でケース体５０を支持する場合には、ケース体５０と基台２０とが合体する部分、例えば基台２０に設けた気密パッキン７０位置やケース本体５０の開口端５０ａ位置や、昇降機構６０を構成するガイド部６２の最大筒状部材６９ａの先端６９ａ１位置に、それぞれリミットスイッチなどの位置検出装置を設置することが、確実に気密がとれる位置まで下降させることができる点で好
ましい。さらに、各昇降機構６０に全昇降行程にわたって連続的に位置を検出する手段（例えばエンコーダーなど）を取り付け、ケース体５０が平行状態を保ったまま昇降するように同期制御を行なうことが好ましい。これによって、ケース体５０の開口端５０ａや、ガイド部６２の下端（最大筒状部材６９ａの先端６９ａ１）に配設した押さえ部材７１の各方向が、基台２０上の気密パッキン７０に同時に接触するため、気密パッキン７０がねじれたり、癖がついたりすることがなく劣化を防止することができ、長期にわたって気密性を維持することができる。
【００３２】
また、図１０は、図１に示す展示ケースを構成する基台ユニット２０の内部構造が説明するための図であって、展示床２２の一部を切り欠いて、基台ユニット２０の内部に収納された調湿剤３０や電源装置２８の配置状態を示したものであり、図１１は、基台ユニット２０の内部に収納された調湿剤３０や電源装置２８の配置状態を示したものである。
【００３３】
図１０および図１１に示す構造を有する展示ケース１０は、基台ユニット２０の内部に、展示空間Ｓ１の雰囲気を調整するための雰囲気調整要素である調湿剤３０と、副次的に熱を発生する電気機器である電源装置２８を個別に収納するための収納スペースをもち、これらの収納スペースが、金属材料からなる板状の部材で取り囲んでなる収納ケース２９，３１によって区画形成され、収納ケース２９，３１は、収納スペースと、展示空間Ｓ１内または展示ケース１０の外部環境との通気が可能な通気手段、例えば通気孔、通気口を備えている。
【００３４】
図１２（ａ）は、収納ケース３２の一の実施形態を示したものであって、まず、鋼材やアルミニウム合金材等からなる金属板を、図１２（ｂ）で示した形状に加工し、次いで、この加工した金属板３３を、図１２（ａ）に示す箱状の形状に折り曲げ加工した後に溶接することによって収納ケース３２を作製したものである。そして、この作製した収納ケース３２は、電源収納ケース２９としても使用することができ、また、調湿剤収納ケース３１としても使用することができる。すなわち、この収納ケース３２は、上面に開口部が位置する向きになるように配設すれば、調湿剤３０による調湿作用が展示空間Ｓ１のみと連通する調湿剤収納ケース３１として用いることができ、また、下面に開口部が位置する向きになるように配設すれば、電源装置２８等の電気機器から副次的に発生する熱を、展示ケース１０の外部環境に逃がすことができる電源収納ケース２９として用いることができる。これらの収納ケース２９、３１を、基台ユニット２０を構成する下側四方枠２４と上側四方枠２５との間で溶接等により一体化させることにより、他の補強材を配設することなしに、基台ユニット２０を補強することができる。また、収納ケース３２は、図１３（ａ）〜（ｅ）に示すように種々の形状にして構成することができる。
【００３５】
上述したところは、この発明の実施形態の一例を示したにすぎず、特許請求の範囲において種々の変更を加えることができる。例えば、図１では、展示床の面積をできるだけ大きくするため、展示床２２に開口３８を設け、昇降機構６０が開口３８を通じて基台ユニット２０の上面部２１に固定連結される構成を示したが、図１４に示すように、展示ケースの展示床に開口を設けずに２つの昇降機構の内側に展示床を形成することも可能である。
【産業上の利用可能性】
【００３６】
本発明によれば、昇降機構が、ケース体を昇降移動させるための可動部と、可動部を包囲するガイド部とを有し、ガイド部が、ケース体の内側で、かつ基台の上面部と、前記側板および前記天板の少なくとも一方の板とに固定連結され、ガイド部および可動部がともに、ケース体の、基台に合体する降下位置にて、ケース体内に格納されることによって、基台の低背化が図れ、これにより、展示ケースに占める展示空間の割合を大きくすることが可能な昇降開閉式展示ケースを提供できるようになった。
【符号の説明】
【００３７】
１０  照明付き昇降開閉式展示ケース
２０  基台ユニット
２１  上面部
２２  展示床
２３  下面部
２４  下側四方枠
２５  上側四方枠
２６  垂直連結部
２７  外装パネル
２８、２８Ａ、２８Ｂ  電源装置  
２９  電源収納ケース
３０  調湿剤
３１  調湿剤収納ケース
３２  収納ケース
３３  金属板
３４  キャスタ
３５  高さ調整用アジャスタ
３６  モータケーブル
３７  ケーブル固定ブッシュ
３８  開口
５０  ケース体
５１  側板
５２  天板
６０  昇降機構
６１  可動部
６２  ガイド部
６３  モータ
６４  ギアボックス
６５  スピンドル
６６  電動式リニアアクチュエータ
６７  配線用ケーブルまたはコード
６８  接点部材
６９ａ、６９ｂ、６９ｃ  筒状部材
７０  気密パッキン
７１  押さえ部材
７２  コーキング材
７３、７４接点部
７５ａ、７５ｂ  スプロケット
７６  チェーン
７７  モータ
７８ａ、７８ｂ  押圧部材
８０  照明ユニット
８１  ＬＥＤ照明
８２  照明カバー
８３  照明ケーブル
８４  ケーブル固定ブッシュ
Ｐ１  ケース体の降下位置（最下位置）
Ｐ２  ケース体の上昇位置（最上位置）
Ｓ１  展示空間
Ｓ２  ガイド部の内部空間
【図１】
2015229047.tif 000003
【図２】
2015229047.tif 000004
【図３】
2015229047.tif 000005
【図４】
2015229047.tif 000006
【図５】
2015229047.tif 000007
【図６】
2015229047.tif 000008
【図７】
2015229047.tif 000009
【図８】
2015229047.tif 000010
【図９】
2015229047.tif 000011
【図１０】
2015229047.tif 000012
【図１１】
2015229047.tif 000013
【図１２】
2015229047.tif 000014
【図１３】
2015229047.tif 000015
【図１４】
2015229047.tif 000016